(57)【特許請求の範囲】
【請求項１】
スタンドケースの一方側下端寄りに、帯状フープ材のリール取り付けバーを備えその取り付けバーに備えられた挿し込み軸とロックによって回転可能にリールを固定する、可撓性と保形性を有する芯材をプラスチックフィルムで挟持しラミネートした帯紐フープ材の取り付け部と、前記リールに巻回されている帯紐フープ材をカッティング手段へ導入する帯紐フープ材の送り手段と、その帯紐フープ材の適宜長さへのカッティング手段と、そのカッティングされた帯紐の搬送手段と、その搬送された帯紐の屈曲手段と、その屈曲手段と対応して設けられた袋口設置部と、前記屈曲された帯紐を袋口へ捻り付ける手段とを備えている袋口結束装置において、前記帯紐フープ材は通常の３倍程度となる約１２ｍｍ程度の幅を有する幅広のものとし、前記カッティング手段には、中央部分を捻り付けに対応する細幅にカットするダイカットローラを備え、かつ、適宜長さにカットされた帯紐の両端部を矢羽根状、木の葉状、波状等の適宜な形状にカットする雌雄のカッターを前記屈曲手段の入口端、出口端に各々対応させて備えていることを特徴とする袋口結束装置。
【請求項２】
袋口設置部は蛇腹状に成形する挟圧機構となっていることを特徴とする請求項１に記載の袋口結束装置。
【請求項３】
マニホールドを用いたエアを駆動源とすることを特徴とする請求項１または請求項２に記載の袋口結束装置。
【請求項４】
前記した雌雄のカッターのうち、雌カッターは前記した屈曲手段の入口端、出口端に各々取り付けられた取付台に固定されて備えられ、また、雄カッターは前記屈曲手段の下方に設けられたエアシリンダーに出入するピストンロッドの上端に設けられたシリンダーにより、軸支された中間位置を駆動され、枢動する一対のアームの端部に、前記雌カッターの上方に位置するように取り付けられていることを特徴とする請求項１、請求項２または請求項３に記載の袋口結束装置。
【発明の詳細な説明】
【０００１】
【発明の属する技術分野】
本発明は袋口結束装置、特にプラスチックをはじめとし、強靭な紙等によって成形され、内に菓子類や贈答品等を収容した袋の開口を、芯材をプラスチックフィルムで挟持ラミネートし、光沢を持たせた帯紐で結束する袋口結束装置に関する。
【０００２】
【従来の技術】
従来、前記した帯紐は幅が約４ｍｍ程度のものとされている。しかし、近時はより一層の装飾性を得るため、この帯紐の幅を広くしたり、使用する帯紐の形状にも種々の外形的意匠を施したものが出現している。
【０００３】
【発明が解決しようとする課題】
上記した新タイプの帯紐により袋口を結束するについて、既存の装置を対応させることは帯紐フープ材の幅が広くなっていることに加え、目的形状とするためのカッティングが行えず、不可能なものとなっている。
【０００４】
【発明の目的】
そこで、本発明は上記した問題点に着目してなされたもので、かかる問題点を解消して、幅広とした帯紐フープ材を用い、袋口を結束させる手前の工程としてその帯紐フープ材を所望の形状にカッティングし、最終的に袋口をその帯紐で捻り結束させることができる新規な袋口結束装置を提供することを目的としている。
【０００５】
【課題を解決するための手段】
この目的を達成するために、本発明に係る袋口結束装置はスタンドケースの一方側下端寄りに、帯状フープ材のリール取り付けバーを備えその取り付けバーに備えられた挿し込み軸とロックによって回転可能にリールを固定する、可撓性と保形性を有する芯材をプラスチックフィルムで挟持しラミネートした帯紐フープ材の取り付け部と、前記リールに巻回されている帯紐フープ材をカッティング手段へ導入する帯紐フープ材の送り手段と、その帯紐フープ材の適宜長さへのカッティング手段と、そのカッティングされた帯紐の搬送手段と、その搬送された帯紐の屈曲手段と、その屈曲手段と対応して設けられた袋口設置部と、前記屈曲された帯紐を袋口へ捻り付ける手段とを備えている袋口結束装置において、前記帯紐フープ材は通常の３倍程度となる約１２ｍｍ程度の幅を有する幅広のものとし、前記カッティング手段には、中央部分を捻り付けに対応する細幅にカットするダイカットローラを備え、かつ、適宜長さにカットされた帯紐の両端部を矢羽根状、木の葉状、波状等の適宜な形状にカットする雌雄のカッターを前記屈曲手段の入口端、出口端に各々対応させて備えていることを特徴としている。
【０００６】
【作用】
係る構成としたことにより、従来に比してはるかに幅広とした帯紐フープ材をセットし、その帯紐フープ材を目的の形状にカッティングして袋口を結束させることが可能となるのであり、また、その駆動源としてエアを用いることで一サイクルの作業を独立させたものとして実行することができることとなっている。
【０００７】
【発明の実施の形態】
次に、本発明の実施の形態を図面を参照して説明する。図１は本発明を実施した袋口結束装置の機構を示す側面図、図２は同じく要部側面図、図３は同じく要部拡大断面図、図４は同じく平面図、図５は同じく雌カッターの平面図、図６は同じく雄カッターの平面図、図７は同じく側面図、図８は同じくクッション部材の平面図、図９は同じく受け板の平面図、図１０は形成される帯紐の平面図、図１１は同じく帯紐の他の例を示す平面図、図１２は同じく帯紐のさらに他の例を示す平面図、図１３は第二の機構を示す側面図、図１４は同じく平面図である。
【０００８】
これらの図にあって１はスタンドケースであり、このスタンドケースの一方側下端寄りには帯紐フープ材のリール取り付けバー２が設けられている。この取り付けバー２にはリール３の挿し込み軸４が備えられ、その挿し込み軸４にリール３はロック５によって回転可能に固定される。このリール３は幅が約１００ｍｍ程度のものが使用され、そこに巻回される帯紐フープ材は幅が約１２ｍｍ程度の従来より３倍幅広のものとなる。
【０００９】
また、前記した取り付けバー２の先端部分にはガイドローラの取り付け板６が立設されており、その取り付け板６の基端からもコイルスプリング７で引張付勢される押えガイド板８が備えられている。そして前記した取り付け板６には縦方向に三つのガイドローラ９、９、９が各々ピン１０に備えられ、押えガイド板８の先端には押えガイドローラ１１がピン１２に備えられている。
【００１０】
前記したガイドローラ９、９、９及び押えガイドローラ１１は帯紐フープ材の横振れを吸収するため各々ピン１０、１２に沿って自在にスライドするフリーローラとされ、かかるガイドローラ９を介して帯紐フープ材はカッティングパート１３へ導入される。
【００１１】
このカッティングパート１３も導入部分はフリーローラ１４、１４‥でガイドされるものとなっており、テンション部１５によって水平状態とされ受ローラ１６及びその受ローラ１６と転接するカットローラ１７（ダイカットローラ）間へ送られる。この受ローラ１６とカットローラ１７は一回転分で同期するものとなっており、側縁部分等を切り落とし、結ばれる中央部分を細幅形成し、その後、後述する曲成パートにおける雌雄カッターで、両端部に矢羽根状、木の葉状、波状等の形状を成形する。
【００１２】
このカッティング作業により生じた切り屑はカッティングパート１３と連通する下方のダストボックス１８へ落下収容される。
【００１３】
こうしてカットされた帯紐フープ材はトンネル状の搬路２９を通って曲成パート２０へ送り込まれる。この曲成パート２０の入口端及び末端には各々図４として示すような雌カッター３０、３０が取付台４０に固定されて備えられている。この雌カッター３０はその略Ｖ字状の切欠部分３０ａに刃が形成されたものとなっている。なお、図中３６は帯紐フープ材のガイド壁であり、３７は帯紐をカットする際の受け板であり、スプリング３８、３８で支承され、通過を助成するようカット後に上方へ突き上げられる。
【００１４】
また、この曲成パート２０の前記した雌カッター３０、３０の中間位置で軸３１で端部を軸支され、シリンダー３５で駆動する一対のアーム３２、３２が備えられており、このアーム３２、３２の先端には図６、図７として示すような雄カッター３３が各々側面に設けられたビス孔３３ａ、３３ａでクッション３３ｃ、取付台３３ｄを介して取り付けられている。この雄カッター３３は先端の略Ｖ字状部分３３ｂが刃となっており、前記した雌カッター３０と合せ、カッティングパート１３で側縁部分を切り落とされた帯状フープ材の端部を矢羽根状にカットすることとなり、その切り屑はダストボックス３４へ落下収容される。なお、このカットの形状は刃の形を変えることで例えば図９として示すリーフ状、波形状等とすることが可能である。
【００１５】
こうして形状をカット形成された帯紐２８ａ、２８ｂ、２８ｃ等は曲成パート２０に設けられた押圧体２１により、その略中央部分を押されることでＵ字状に屈曲されることとなる。
【００１６】
また、前記した曲成パート２０の上方には袋口設置部２２が設けられている。この袋口設置部２２は上下方向に開閉し、その当接部分は凹突を相互にずらせて合致させるものとした山形状となっており、ここに目的とする袋の開口周囲を挟み込ませることで、袋口を蛇腹状に成形することとなる。
【００１７】
Ｕ字状に屈曲された帯紐は、この蛇腹状に成形された袋口周囲に位置されることになり、その帯紐の外側に配置される一対の屈曲ガイドバー２３、２３により上下袋口設置部２２の上下部分がシリンダーによるスライド動作により、その袋口設置部２２の中央に袋口を寄せ集め蛇腹状とし、ツイストペラ２７によって帯紐２８ａ、２８ｂ、２８ｃ等は袋口の周囲に巻かれ、捻り付けられることとなる。
【００１８】
なお、上記した一連の動作は各パートに対応して設けられているエアシリンダー２４、２４…、ピストンロッド２５、２５…そしてその作動を規制するリミットスイッチ２６、２６…によって得られるものとなっており、特に帯紐フープ材がカッティングされ搬送されて曲成パート２０へ到達した後は既知の細幅の帯紐による袋口結束装置の機構を応用することができるものとなっており、エア回路はマニホールドが利用されることになる。
【００１９】
また、カッティングパート１３で適宜長さにカットされた帯紐はベルトコンベア１９により搬送されることとすることもできる。この搬送を安定させるため、帯紐の芯材として針金が使用されている場合、ベルトの裏面に磁石を配するか、ベルト自体を磁気ベルトとすることが構造上望ましい。
【００２０】
【発明の効果】
本発明に係る袋口結束装置は上述のように構成され、作用する。そのため、従来に比してはるかに幅広の帯紐フープ材を用い、それをカッティング加工しながら、目的とする袋の開口を結束することができる。また、その作業も袋口を設置へ出入させること及び装置起動用のスイッチングをするのみで済み、格別な熟練性がなくとも即時に操作が可能なものとなっている。
【図面の簡単な説明】
【図１】本発明を実施した袋口結束装置の機構を示す側面図である。
【図２】要部側面図である。
【図３】要部拡大断面図である。
【図４】平面図である。
【図５】雌カッターの平面図である。
【図６】雄カッターの平面図である。
【図７】側面図である。
【図８】クッション部材の平面図である。
【図９】受け板の平面図である。
【図１０】形成される帯紐の平面図である。
【図１１】帯紐の他の例を示す平面図である。
【図１２】帯紐のさらに他の例を示す平面図である。
【図１３】第二の機構を示す側面図である。
【図１４】平面図である。
【符号の説明】
１  スタンドケース
２  取り付けバー
３  リール
４  挿し込み軸
５  ロック
６  取り付け板
７  コイルスプリング
８  押えガイド板
９  ガイドローラ
１０  ピン
１１  押えガイドローラ
１２  ピン
１３  カッティングパート
１４  フリーローラ
１５  テンション部
１６  受ローラ
１７  カットローラ
１８  ダストボックス
１９  ベルトコンベア
２０  曲成パート
２１  押圧体
２２  袋口設置部
２３  屈曲ガイドバー
２４  エアシリンダー
２５  ピストンロッド
２６  リミットスイッチ
２７  ツイストペラ
２８ａ  帯紐
２８ｂ  帯紐
２８ｃ  帯紐
【図１】
0003686150.tif 000002
【図２】
0003686150.tif 000003
【図３】
0003686150.tif 000004
【図４】
0003686150.tif 000005
【図５】
0003686150.tif 000006
【図６】
0003686150.tif 000007
【図７】
0003686150.tif 000008
【図８】
0003686150.tif 000009
【図９】
0003686150.tif 000010
【図１０】
0003686150.tif 000011
【図１１】
0003686150.tif 000012
【図１２】
0003686150.tif 000013
【図１３】
0003686150.tif 000014
【図１４】
0003686150.tif 000015